(57)【要約】【課題】少なくとも１つの信号接触ブレード（２２ａ）と接地接触ブレードとを備えたコネクタを提案している。【解決手段】本コネクタは、少なくとも１つの保護金属プレート（４２，５０）を有し、これらプレートは、第１の信号ブレード（２２ａ）の対面部（３４ａ、３０ａ）に対向して延びて、接地接触ブレードに電気的に接続されている。かくして、金属物体を用いて信号接触ブレードに達しようとする所定の試みは、アースに接続された保護ケージと第１の信号接触ブレードとの間に電気的な接続が確立され、試みられた侵入の信号表現である漏電が生じる結果となる。【選択図】      図７
2006080073.tif 000002
【特許請求の範囲】
【請求項１】
複数の電気接触パッドを主側面の１つに備えた電子メモリカードを接続するための電気的なコネクタ（１０）であって、絶縁材料で形成されかつ１つの平坦で水平な上面（２０）を備えた接触支持用のブロック（１４）と、長手方向かつ水平方向に対して平行に配置され、弾性的に変形可能な導電体の複数のブレード（２２，２２ａ、２２ｂ）とを具備しており、これら接触用のブレード（２２，２２ａ、２２ｂ）の各々は、
絶縁材料の前記ブロック（１４）の平坦な上面（２０）から突出し、前記カードの対応するパッドと接触するための湾曲した第１の端部（２６，２６ａ）と、
前記ブレードを絶縁材料のブロック（１４）に接続させるための細長い中央部（３０，３０ａ、３０ｂ）と、
前記ブレード（２２，２２ａ、２２ｂ）を読み書き装置の処理回路に電気的に接続させるためのパッド（３４，３４ａ、３４ｂ）を構成している、ブレード接続用の第２の端部とを具備し、更に、少なくとも１つの第１の“信号”接触ブレード（２２ａ）と第２の“接地”接触ブレード（２２ｂ）とを具備している電気コネクタにおいて、
前記第１の信号のブレード（２２ａ）の対面部に対向するように延びかつ第２の接地ブレード（２２ｂ）に電気的に接続されている少なくとも１つの金属プレート（４２，４４，５０）を具備していることを特徴とする電気のコネクタ。
【請求項２】
前記第１の信号ブレード（２２ａ）の接続用の前記パッド（３４ａ）の一部分（３６ａ）に対向して垂直に延びかつ前記第２の接地ブレード（２２ｂ）に電気的に接続される少なくとも１つの第１の保護金属プレート（４２）を具備していることを特徴とする請求項１のコネクタ。
【請求項３】
前記第１の保護金属プレート（４２）は、このプレートが保護する接続パッド（３４ａ）の長手方向（Ｌ）に対して直交する横方向の平面に位置することを特徴とする請求項１もしくは２のコネクタ。
【請求項４】
前記第１の信号ブレード（２２ａ）の接続パッド（３４ａ）は、第１の保護プレート（４２）に平行な少なくとも１つの横向きの垂直ブランチ（３６ａ）を有していることを特徴とする請求項１ないし３のいずれか１のコネクタ。
【請求項５】
前記第１の信号ブレード（２２ａ）の接続パッド（３４ａ）は、少なくとも１つの下方水平ブランチ（３８ａ）を有し、この下方水平ブランチは、前記垂直ブランチ（３６ａ）の後方に延びかつ絶縁材料のブロック（１４）の下面（２１）の平面に実質的に位置していることを特徴とする請求項１ないし４のいずれか１のコネクタ。
【請求項６】
前記第１の保護プレート（４２）は、少なくとも接続パッド（３４ａ）の垂直ブランチ（３６ａ）の高さ全体にわたって延びていることを特徴とする請求項４もしくは５のコネクタ。
【請求項７】
前記第１の保護プレート（４２）は、前記絶縁材料のブロック（１４）の下面（２１）の平面から垂直方向上方に延びていることを特徴とする請求項５に従属している請求項６のコネクタ。
【請求項８】
互いに平行で対向している２つの第２の保護プレート（４４）を具備しており、これら保護プレートの各々は、垂直方向に、第１の信号ブレード（２２ａ）の接続パッド（３４ａ）の一部分に対向して延び、これらプレートが保護する接続パッド（３４ａ）の長手方向（Ｌ）に平行な横方向の平面に位置して、接続パッドを２つの長手方向側面で保護するように第２の接地接触ブレード（２２ｂ）に電気的に接続されていることを特徴とする請求項１ないし７のいずれか１のコネクタ。
【請求項９】
少なくとも１つの保護金属プレート（５０）を具備し、この保護金属プレートは、前記信号ブレード（２２ａ）を絶縁材料のブロックに接続するための細長い中央部（３０ａ）に対向して水平方向に延び、かつ第２の接地接触ブレード（２２ｂ）に電気的に接続されていることを特徴とする請求項１ないし８のいずれか１の電気コネクタ。
【請求項１０】
絶縁材料で形成されたサポート（６０）を具備し、このサポートは、保護プレートを有し、絶縁材料の前記ブロック（１４）の下面（２１）の相補的なハウジング（６４）内に取付けられていることを特徴とする請求項１ないし９のいずれか１の電気コネクタ。
【請求項１１】
前記サポートの絶縁材料で形成された垂直方向の仕切りが、各保護プレートと、この保護プレートが延びて対向している、第１の信号ブレード（２２ａ）の一部分との間に、設けられていることを特徴とする請求項１ないし１０のいずれか１の電気コネクタ。
【請求項１２】
前記保護プレートの各々は、横方向に延びた導電性の舌部（５４）を備えた保護金属ケージ（４０）の一部分を形成し、この舌部（５４）の自由端部（５６）が、前記接地接触ブレード（２２ｂ）と電気接触していることを特徴とする請求項１ないし１１のいずれか１の電気コネクタ。
【発明の詳細な説明】
【技術分野】
【０００１】
本発明は、複数の電気接触パッドを主側面の１つに備えた電子メモリカードを接続するための電気コネクタに関する。
【背景技術】
【０００２】
本発明は、例えば、メモリカードが、このカードのほぼ水平な平面に対して平行な長手方向の後方から挿入される、上記のタイプの電気コネクタに関する。
【０００３】
様々の公知のデザインに係われば、コネクタは、主に、絶縁材料で形成されかつ水平な平坦な上面を備えた１つの接触支持用のブロックと、複数の導電体とを有している。複数の導電体の各々は、弾性的に変形可能なブレードの形状を有している。
【０００４】
ブレードは、カードの挿入方向に対応する長手方向かつ水平方向に対して平行に配置されており、カードは、その平面に対して平行に水平方向に挿入される。
【０００５】
公知のデザインに係われば、各接触ブレードは、
絶縁ブロックの平坦な上面から垂直方向上方に突出している、メモリカードの水平下面に配置された対応するパッドを接続するための湾曲した第１の端部と、
例えばキャッチングバーブなどにより長手方向に挿入するか覆うようにモールド成形することなどにより接続がなされる、ブレードを絶縁材料のブロックに接続するための細長い中央部と、
本電気コネクタを備えた読み書き装置の処理回路にブレードを電気的に接続するためのパッドを構成している、ブレードを電気的に接続するための第２の端部とを有している。
【０００６】
互いに平行な様々の接触ブレードのうち、幾つかのブレードから成る１つ以上のグループで（例えば対をなして長手方向に整列された４つのブレードからなるグループ２つ）、コネクタは、少なくとも１つの第１の“信号”接触ブレードを有している。
【０００７】
例えば、ブレードのうちで、信号接触ブレードがいわゆる“入出力”接触ブレードまたはＩ／Ｏブレードであり、カードの対応するパッドと接触されて、カードが所定位置にあるときにＩ／Ｏ信号を発生させることに留意されたい。
【０００８】
様々の接触ブレードのうちで、コネクタはまた、カードの対応するパッドと接触するように意図された少なくとも１つの第２の“接地”接触ブレードを有しており、本コネクタが設けられた読み書き装置の接地回路に接続される。
【０００９】
このようなコネクタが設けられた読み書き装置の侵入（fraud）に対する様々の試みには、特に、第１のＩ／Ｏ接触ブレードに到達するための工程が含まれている。
【００１０】
このような工程は、カードの侵入を侵すことを決定する工程である。
【００１１】
このために、侵入者は、例えば絶縁ブロック、並びに／もしくは、上面にコネクタが設けられたプリント基板に穴を開け得る。
【発明の開示】
【発明が解決しようとする課題】
【００１２】
本発明の目的は、このような侵入の試みを検出し防ぐ手段を設けることによって読み書き装置の全般的な安全性を向上させることである。
【課題を解決するための手段】
【００１３】
そのために、本発明では、コネクタが、第１の信号ブレードの対面部に対向して延びかつ第２の接地ブレードに電気的に接続されている少なくとも１つの保護金属プレートを有しているタイプの、上述したタイプの電気コネクタを提案している。
【００１４】
かくして、金属の物体、例えば金属のドリルを用いて第１のＩ／Ｏ接触ブレードに到達しようとする試みがなされると、接地されている保護プレートと第１の接触プレートとが電気的に接続される結果となる。
【００１５】
このときは、試みられた侵入の信号見本を構成している第１の接触ブレードの接地によって漏電が生じる。
【００１６】
本発明の他の特徴に係われば、
コネクタは、第１の信号ブレードの接続用のパッドの一部分に対向して垂直に延びかつ第２の接地ブレードに電気的に接続される少なくとも１つの第１の保護金属プレートを有している。
【００１７】
第１の保護金属プレートは、このプレートが保護する接続パッドの長手方向に対して直交する横方向の平面に位置する。
【００１８】
第１の信号ブレードの接続パッドは、第１の保護プレートに平行な少なくとも１つの横向きの垂直ブランチを有している。
【００１９】
第１の信号ブレードの接続パッドは、少なくとも１つの下方水平ブランチを有し、この下方水平ブランチは、垂直ブランチの後方に延びかつ絶縁材料のブロックの下面の平面に実質的に位置している。
【００２０】
第１の保護プレートは、少なくとも接続パッドの垂直ブランチの高さ全体にわたって延びている。
【００２１】
第１の保護プレートは、絶縁材料のブロックの下面の平面から垂直方向上方に延びている。
【００２２】
コネクタは、互いに平行で対向している２つの第２の保護プレートを有しており、これら保護プレートの各々は、垂直方向に、第１の信号ブレードの接続パッドの一部分に対向して延び、これらプレートが保護する接続パッドの長手方向に平行な横方向の平面に位置して、接続パッドを２つの長手方向側面で保護するように第２の接地接触ブレードに電気的に接続されている。
【００２３】
コネクタは、少なくとも１つの保護金属プレートを有し、この保護金属プレートは、信号ブレードを絶縁材料のブロックに接続するための細長い中央部に対向して水平方向に延び、かつ第２の接地接触ブレードに電気的に接続されている。
【００２４】
コネクタは、絶縁材料で形成されたサポートを有し、このサポートは、保護プレートを有し、絶縁材料の前記ブロックの下面の相補的なハウジング内に取付けられている。
【００２５】
サポートの絶縁材料で形成された垂直方向の仕切りが、各保護プレートと、この保護プレートが延びて対向している、第１の信号ブレードの一部分との間に、設けられている。
【００２６】
各保護プレートは、横方向に延びた導電性の舌部を備えた保護金属ケージの一部分を形成し、この舌部の自由端部が、接地接触ブレードと電気接触している。
【００２７】
本発明の他の特徴および利点は、添付図面を参照して理解され得る以下の詳細な説明を読むことで明らかになるだろう。
【発明を実施するための最良の形態】
【００２８】
以下の説明では、等しい、同様の、あるいは類似した構成部品が、同じ参照符号で示される。
【００２９】
発明の範囲を限定するのではなく、説明および図面を容易に理解できるようにするために、図中で示された基準座標系Ｌ，Ｖ，Ｔに従って、“垂直”、“水平”、“下方”、“上方”、“上”、“底”、“横方向”、“長手方向”などの用語が使用されている。
【００３０】
図１および図２は、絶縁プラスチックのボディまたはモールド成形されたケースから基本的に成るコネクタ１０を示している。
【００３１】
コネクタ１０の絶縁ボディ（ケース）１２を備えているその一般的なデザインは、本明細書では、文献ＵＳ−Ａ−５７７５９４９号に説明され開示されているタイプのものである。
【００３２】
ケース１２は、基本的に、下側水平プレート（絶縁ブロック）１４と上側水平プレート１６とから成り、両プレートの間に、メモリカード（図示されず）が図１および図２の矢印“Ｌ”によって示された方向に沿って後方から前方へ挿入されるための長手方向のスロット１８を規定している。メモリカードは、下側プレート１４の対面上面２０に対向するような向きにされたその下面に、基準化された形で配置された導電性パッドを有している。
【００３３】
下側プレート１４は、その中央部で、横方向“Ｔ”に沿ってコネクタの接触支持
用の絶縁ブロックを構成している。このブロックは、公知の方法で、２つのグループの４つの電気接触ブレード２２を支持している。
【００３４】
接触支持用のブロックのブレードを備えた一般的なデザインは、例えば、文献ＵＳ−Ａ−６４４７３３８号で説明され詳しく開示されている。
【００３５】
本明細書では、全ての接触ブレードが同じである。
【００３６】
各接触ブレード２２は、一般的に、長手方向の垂直平面に位置しており、ほぼ水平な上方ブランチ２４を有している。この上方ブランチは、“接触”端部と呼ばれ、カード上の対応するパッドに対応するパッドを備え、凸状に湾曲された第１の端部２６を有している。自由接触端部２６は、孔２８を通って垂直方向上方に、絶縁ブロック１４の上側平坦面２０の水平平面から突出している。
【００３７】
前記ブレード２２は、下方水平ブランチ３０を有している。この下方水平ブランチは、本明細書ではブレード２２がヘヤピン形状を有するように１８０°に鋭く湾曲されたストランド３２によって上方接触ブランチ２４に接続されている。
【００３８】
水平ブランチ３０は、接触ブレード２２の細長い中央接続部を構成している。この中央接続部により、ブレード２２は、確実に絶縁ブロック１４内に位置され固定され得る。
【００３９】
接続用の下方ブランチ３０は、接続端部と呼ばれる接触ブレード２２の第２の端部まで延びて、ここで終端している。この接続部は、直角の接続タブ３４の形状をしていて、この接続タブにより、ブレード２２が読み書き装置（図示されず）の処理回路（図示されず）に電気的に接続され得る。
【００４０】
本明細書で、接続タブ３４は、接続ブランチ３０の端部から下方へと絶縁ブロック１４の下方水平面２１とほぼ同じ水平面まで延びた垂直ブランチ３６を有している。
【００４１】
接続タブ３４はまた、水平方向に背面に向けて延びかつ下面２１の平面より少し下に位置している水平ブランチ３８を有している。
【００４２】
各々が水平ブランチ３８を備えた接続タブ３４は、本実施形態では、図示されていないプリント基板（ＰＣＢ）の上面で対応する導電性トラックに半田付けされる、例えばリフローではんだ付けされるタイプのものである。
【００４３】
例えば図６および図７の右側部から分かるように、侵入に対して保護されていなかったブレードの従来技術のデザインでは、例えば垂直方向上方に、および／または、図７の右手側の接触ブレード２２について考えた場合は右から左に、接触ブレードに接触することが可能である。
【００４４】
本発明では、接触ブレード２２の１つ、本実施形態では入出力ブレードと呼ばれるブレード２２ａを優先的に保護することを目的としている。この入出力ブレードのデザインは、コネクタの他の７つのブレードのデザインと非常に類似しており、かくして、これまで詳しく説明したデザインと類似している。
【００４５】
図および説明の残りの部分では、本発明の教示に従って保護される接触ブレードとその全部品とは、他のブレードと同じ参照符号で示されるが、英字“ａ”が接尾に付けられている。
【００４６】
コネクタの８つのブレードの中では、“接地”ブレードと呼ばれるブレード２２ｂがまた、区別されることがある。このブレード２２とその全部品とは、同じ参照符号で示されているが、英字“ｂ”が接尾に付けられている。
【００４７】
図示されている実施形態では、有効な標準化に従って、接地接触ブレード２２ｂは、接触ブレード２２ａのような４つのブレードと同じグループに属するブレードであり、接触ブレード２２ａに平行に配置されている。また、ブレード２２ａとブレード２２ｂとの間には他の接触ブレード２２が設けられている。
【００４８】
侵入が起こりそうな時に接触ブレード２２ａを保護することが望ましいときは、一方ではその下方ブランチ３０ａを保護し、他方では２つのブランチ３６ａ、３８ａを備えたその接続タブ３４ａを保護することが好ましい。
【００４９】
本発明の教示に係われば、このような保護は、特に図３および図４に夫々に図示されている保護金属ケージ４０によって果たされる。
【００５０】
保護金属ケージ４０は、切断され、折曲された導電性の金属シートで形成されている。
【００５１】
保護金属ケージは、主に、第１の垂直背面横方向の保護プレート４２と、四角形の水平下側フレーム４６によって共に係合されて対向している２つの横方向の垂直な長手方向（横方向）プレート４４とを有している。
【００５２】
コネクタ１０の絶縁ブロック１４内の保護ケージ４０の取付け位置では、特に図７から分かるように、横方向の第１の保護プレート４２が、絶縁ブロック１４の下面２１の平面から垂直方向上方に、接続タブ３４ａの横方向垂直ブランチ３６ａよりも長い高さまで延びている。
【００５３】
図２および図３から分かるように、横方向の垂直な長手方向のプレート４４は、プレート４２の高さよりも短い高さにわたって垂直方向上方に延び、また、その２つの対向している長手方向側面に沿って水平ブランチ３８ａを横方向に保護する働きを有している。
【００５４】
かくして、プレート４２を貫通することによって水平方向かつ長手方向に後方から、または、横方向のプレート４４の１つを貫通することによって水平方向かつ横方向に一側または他側から、接続タブに接触しようとする試みは、保護ケージ４０が接触ブレード２２ａと、即ち、特にその接続タブ３４ａと電気接触される結果となることが理解されるだろう。
【００５５】
本発明の教示に従って以下に説明されるように、保護ケージ４０が、接地接触ブレード２２ｂと電気的に接続されており、侵入の試みにより、接触ブレード２２ａのアース漏電が生じる。
【００５６】
図３および図４から分かるように、水平フレーム４６の平面で、保護ケージ４０が、細長く延びる下側水平保護プレート５０によって細長く絶縁ブロック１４の中央に向かって延長されている。この下側水平保護プレートは、保護ケージの取付け位置では、図６および図７から分かるように、接触ブレード２２ａの下側水平接続ブランチ３０ａに対向して細長く延びている。
【００５７】
図３，図４および図７から分かるように、水平保護プレート５０の自由端部は、上方に湾曲した垂直ストランド５２を有している。
【００５８】
下側水平保護プレート５０を通過することによって下側水平ブランチ３０ｂと並ぶようにブレード２２ａに到達しようとする試みによってもまた、ブレード２２ａとアースとの間に漏電が生じる。
【００５９】
図３、図４および図６から分かるように、保護ケージ４０は、水平接触プレート（下側水平保護プレート）５０の細長いエッジから横方向に延びた横方向舌部５４を有している。
【００６０】
この接地接触舌部５４は、上向きの凸状に湾曲した自由端部５６を有している。この自由端部は、保護ケージ４０の取付け位置では、接地接触ブレード２２ｂの水平接続ブランチ３０ｂの下面３１ｂの対面部と電気接触されている。
【００６１】
保護ケージ４０の湾曲した端部５６および付属部品を備えた接続舌部５４の形状は、端部５６が下面３１ｂを支持しこれと弾性的に接触するような形状にされている。
【００６２】
かくして、保護ケージ４０により、アクセス可能な接触ブレード２２ａの感度の高い領域の多くを保護することが可能である。
【００６３】
上方に湾曲されたストランド５２が、後方の横方向保護プレート４２と平行に延びている２つの小さな垂直方向かつ横方向の保護プレート５８と協働して、例えば垂直横方向ブランチ３６ａに到達するために、細長く水平方向に、図７の場合は右から左へ、貫通しようとする試みから保護することに、留意されたい。横方向保護プレート４２は、水平方向プレート５０の両側面に横方向に延び、フレーム４６に接続されている。
【００６４】
本発明の他の特徴に係われば、絶縁プラスチックをモールド成形した構成部品からなる絶縁サポート６０は、保護ケージ４０を絶縁し取付けるために設けられている。
【００６５】
全体に、サポート６０は、ほぼ矩形形状の水平プレート６２の形状を有し、絶縁ブロック１４の下面２１に形成された既存の相補的なハウジング６４内に収容され、また、垂直方向下方に開いている。
【００６６】
特に図６から分かるように、絶縁サポート６０は、横方向に、ブレード２２ａ、２２ｂが属するグループの４つのブレードに対向して、ほぼ長手方向にこれらのブレードの長さの大部分にわたって延びている。
【００６７】
ハウジング６４内の絶縁サポート６０は、例えば、絶縁ブロック１４のプラスチックスタッド６６によって取付けられている。これらスタッドは、プレート６２の対応する孔６８を通っている。これらスタッドの下側の自由端部は、温圧着されている（hot-crimped）。
【００６８】
プレート（絶縁サポート）６０はまた、所定の他の手段、例えば接着することによって取付けられてもよい。
【００６９】
プレート６０はまた、ハウジング６４内の所定位置に保持され、絶縁ボディと、コネクタ１０が上に設けられるプリント基板ＰＣＢの上面との間に挟まれ得る。
【００７０】
絶縁サポート６０のプレート６２は、その背面横方向エッジ７０付近に、後方に長手方向延長部７２を有している。
【００７１】
この延長部７２のハウジング７４が、ブレート６２の下面６３に形成されている。このハウジング７４は、保護ケージ４０が中に挿入されて取付けられ得るように、保護ケージの形状およびディメンションに相補的である。
【００７２】
保護ケージ４０と絶縁サポート６０とは、後で組立てられる別個の構成部品の形に製造されていてもよい。
【００７３】
他の実施形態に係われば、絶縁サポート６０は、保護金属ケージ４０の周りに覆うようにモールド成形することによって形成されてもよい。
【００７４】
延長部７２は、その中央部に、２つの端部で垂直方向に開口した矩形の平行なエピペダル（parallelepipedal）孔７６を有している。この孔７６はまた、図６および図７から分かるように、接続タブ３４ａと、絶縁ブロック１４の対応する部分の垂直仕切り部１５とを収容するように意図されている。
【００７５】
延長部７２を備えたプレート６２とハウジング７４とのデザインは、保護ケージ４０のデザインに関連して、保護ケージ４０が絶縁サポート６０と取付けおよび組立てられた位置では、保護ケージ４０に属する保護プレートと、接触ブレード２２ａの対面部、特に接続タブ３４ａまたは水平接続ブランチ３０ａの対面部との間に、常に絶縁プラスチックの仕切りが設けられるようにされている。
【００７６】
言うまでもなく、支持プレート６２はまた、横方向の設置接続舌部の凸状に湾曲された端部５６の通路として垂直方向に開口した他の孔７８を有している。
【００７７】
本発明は、説明された実施形態に限定されるものではない。
【００７８】
他の実施形態（図示されず）と同様に、本発明は、カードをガイドする手段のデザインとは関係なく、接触支持絶縁ブロックを備えたあらゆるタイプのコネクタに応用され得る。また、カードは、接触支持絶縁ブロック１４に対して所定の向きに設置され得る。
【００７９】
図８ないし１０に示されている実施形態では、保護金属ケージ４０が以下のように改良され得ることが分かる。
【００８０】
横方向かつ垂直方向上方に延びている第１の横方向プレート４２は、その上方横方向エッジ４１から、カード挿入用スロットを通る縦の（左から右へ）傾斜された方向に接続タブ３４ａに接触しようとする試みに対してよりよく保護するために、相補的な傾斜された横方向プレート４３によって延長されている。
【００８１】
更に、上方に湾曲されたストランド５２と２つの小さな垂直方向かつ横方向の保護プレート５８は、本明細書では、正面の垂直方向かつ横方向のプレート５２によって代用され得る。この正面の垂直方向かつ横方向のプレート５２は、第１のタブ（横方向プレート）４２に平行であり、横方向かつ垂直方向のプレート４４の端部を接続するために金属ケージ４０の横幅全体にわたって延びている。
【００８２】
かくして、フレーム４６（前に図示された）が省略され、４つの垂直方向のプレート４２，４４，５２が、接続タブ３４ａの周りの保護ケージを形成する四角形のループを構成している。
【００８３】
設置接触（接続）舌部５４は、プレート５２の上側横方向エッジに接続されている。
【００８４】
この実施形態では、保護ケージ４０は、プレート５０（前に図示された）のような水平な長手方向の保護プレートを有していない。
【００８５】
絶縁サポート６０もまた、保護ケージ４０のこの変形されたデザインに適合されるように変形されている。
【００８６】
図８ないし図１０から分かるように、矩形プレートの形状のサポート６０は、本実施形態の場合は、上面６１に、矩形の大きな中央ハウジング７４，７８を有している。これら中央ハウジングは、基本的に設置接触舌部５４を収容するもので、その底部９０に、相補的なモールド成形部９２，９４を有している。これらのモールド成形部により、ケージ４０が、絶縁サポート６０内で組立て位置にあるときに、舌部５０をモールド成形部９２，９４の中にプラスチックのスナップ留めすることにより、事前組立ておよび保持され得る。
【００８７】
このために、ケージ４０は、図３の場合には垂直方向下方に、一般的にサポート６０内に設置されてスナップ留めされる。
【００８８】
図１０に示された構成部品の組み合わせが設けられ組立てられたとき、ケージ４０が、垂直方向に、絶縁ブロック１４の下面２１に形成された相補的なハウジング６４の底部と、絶縁サポート６０との間に配置されることが理解されるだろう。
【００８９】
図１０から分かるように、保護金属ケージ４０の導電部は、絶縁サポート６０の下面６３と揃えられていない。
【００９０】
本発明は、接続タブ３４、特に、はんだ付けもしくはリフローではんだ付けすることによって接続されるように湾曲された接続タブ３４ａのデザインに限定されるものではない。
【００９１】
接続タブ３４ａは、例えば、垂直方向に延びて、プリント基板の孔内に挿入されるタイプのものであってよい。
【００９２】
同様に、本発明は、説明されたような電気接触ブレードのデザイン、特に、ヘアピン形状の接触ブレード２２ａに限定されるものではない。むしろ、本発明は、湾曲された自由端部が接続ブランチ３０ａの端部に形成されている「片持ち梁」タイプの接触ブレードの場合にも適用され得るものである。
【００９３】
また、コネクタの複数の接触ブレードを保護することも可能である。
【図面の簡単な説明】
【００９４】
【図１】本発明の教示に係わる電気コネクタの４５°の上方からの背面斜視図であり、分解斜視図の電気コネクタと、コネクタを支持しているプリント基板の一部分と、最初の一時的な組立て位置にある絶縁サポートを備えた保護ケージとを示している。
【図２】図１に類似した斜視底面図である。
【図３】保護金属ケージと絶縁サポートとの図１と同じ角度からの分解斜視図である。
【図４】２つの構成部品を図解している図２の角度からの図３に類似した図である。
【図５】図２の一部分を拡大した詳細図である。
【図６】図２および図５に示されたコネクタの下面の詳細を示した拡大底面図である。
【図７】図６の線７−７に沿った拡大断面詳細図である。
【図８】金属ケージと絶縁サポートとの異なる実施形態の図３に類似した図である。
【図９】金属ケージと絶縁サポートとの異なる実施形態の図４に類似した図である。
【図１０】金属ケージと絶縁サポートとの異なる実施形態の図５に類似した図である。
【符号の説明】
【００９５】
１０・・・コネクタ、１４・・・ブロック、２０・・・上面、２２・・・導電体（ブレード）、２６・・・第１の端部、３０・・・細長い中央部、３４・・・パッド、４２、４４、５０・・・金属プレート。
【図１】
2006080073.tif 000003
【図２】
2006080073.tif 000004
【図３】
2006080073.tif 000005
【図４】
2006080073.tif 000006
【図５】
2006080073.tif 000007
【図６】
2006080073.tif 000008
【図７】
2006080073.tif 000009
【図８】
2006080073.tif 000010
【図９】
2006080073.tif 000011
【図１０】
2006080073.tif 000012